(57)【特許請求の範囲】
【請求項１】
各々、基部と該基部の一端に折り返し状態に連続する挟み込み部とからなり、板状体に端部から、該板状体を上記基部と挟み込み部との間に挟み込むように外嵌合可能な１対のクリップ部と、
上記両クリップ部の基部と一体で該両クリップ部の基部同士を両クリップ部が間隔をあけて並んだ状態で折り曲げ可能に連結する連結部とを備えた金属製のものであり、
上記連結部に連結部での折り曲げ操作を容易にするための脆弱部が形成されており、
上記連結部が折り曲げられていない状態と、該連結部が上記脆弱部で各クリップ部の基部が挟み込み部から離れる方向に向かうように折り曲げられた状態とのいずれか一方の状態で使用されることを特徴とする板状体連結具。
【請求項２】
請求項１の板状体連結具において、
クリップ部が弾性を有することを特徴とする板状体連結具。
【請求項３】
請求項１の板状体連結具において、
脆弱部は連結部に沿って不連続に形成された複数の孔であることを特徴とする板状体連結具。
【請求項４】
隣接する１対の木質繊維板からなる板状体にそれぞれ請求項１〜３のいずれか１つの板状体連結具のクリップ部が外嵌合されて、該両板状体が連結されていることを特徴とする簡易間仕切り構造。
【請求項５】
請求項１〜３のいずれか１つの板状体連結具と板状体とが組み合わされたことを特徴とする簡易間仕切りセット。
【発明の詳細な説明】
【技術分野】
【０００１】
本発明は、板状体同士を連結する板状体連結具、それを用いた簡易間仕切り構造及び簡易間仕切りセットに関する。
【背景技術】
【０００２】
各地での地震や水害等の大規模災害時には、学校の体育館や教室、或いは公民館やホール等の公共施設が一時的な避難所として用いられる。このような避難所には多数の人々が居住するが、区画の無い大きな空間に複数の家族が居住することになるため、プライバシーを確保することが難しい。
【０００３】
そこで、このような避難所の空間を簡易に区画するため、一時的に設置する仮設の間仕切りが提案されている。例えば特許文献１に示されるように、複数枚の矩形の板体の上端同士及び下端同士を連結部材によって連結する仮設間仕切り構造が提案されている。そして、この間仕切り構造では、連結する部分が直線状、Ｌ字状、Ｔ字状、十字状であるため、それぞれの部分に適する複数種類の連結部材を用いれば、自由な間取りに組み立てることができるために好ましいとしている。また、壁を構成する矩形の板体は、発泡合成樹脂製が望ましいとしている。
【０００４】
また、特許文献２に示されるように、段ボール製で箱体に形成された間仕切りが提案されている。
【特許文献１】特開２００２−１１５３５７号公報
【特許文献２】特開２００６−１６１５２３号公報
【発明の開示】
【発明が解決しようとする課題】
【０００５】
しかし、引用文献１のものでは、複数種類の連結部材を用意する必要があって組立時の取扱いが煩雑となり、さらに現場の形状によって必要数量も異なるので、準備が大変である。また、連結部材の保管時においても形状に応じて整理する必要があって面倒である。さらに、実際の現場では、必ずしも矩形で区画されるとは限られず、多様な形状の区画には対応でき難い。
【０００６】
また、発泡合成樹脂製の板体は、軽量で取扱いが容易ではあるが、現場の形状に合わせるように切断しようとする場合には、カッター等の工具がないと割れてしまって却って不便となる。長期間になる保管時においても、温湿度コントロールされていない備蓄倉庫内での環境変化が大きく、特に高温下では変形してしまうことがある。また、不要になった発泡合成樹脂製の板体はリサイクル性がやや低い点も問題である。
【０００７】
さらに、Ｌ字状、Ｔ字状、十字状にパネルを連結する際の連結手段は、面ファスナや両面粘着テープを想定しているが、別途これらを用意する必要が生じる。板体に対し予め付与しておいてもよいが、長期間になる保管において、温湿度コントロールされていない備蓄倉庫内は環境変化が大きく、特に高温下では変形変質してしまうことがある。
【０００８】
一方、特許文献２のものでは、段ボール製の箱体を折り畳んだ状態で収納することを想定しており、使用時には、その都度箱体に組み立てる必要があって、作業が煩雑となる。また、段ボール製の箱体は、軽量で取扱いが容易ではあるものの、現場の形状に合わせるように切断しようとする場合には、カッター等の工具を用意してないと切断が容易でない。
【０００９】
また、体育館等の施設の床は板張り等が多いが、断熱性が低く、長期間の生活を余儀なくされると、避難者の体が冷えてしまって負担が大きい。そこで、余った間仕切りパネルを断熱性のよい敷床として適用することも考えられるが、発泡合成樹脂製の板体や段ボール製のパネルは局部圧縮強度に弱く、長時間の荷重によって、凹んだりへたったりして取扱い難く、不快に感じてしまうので適当ではない。また段ボール製は耐水性にも弱く、生活水や発汗によっても変形してしまう虞れがある。
【００１０】
本発明は斯かる諸点に鑑みてなされたもので、その目的は、１つの種類で多数の連結形状に適応し、簡易間仕切りの組立作業が煩雑でなく、取扱性がよく、長期保管にも適した板状体連結具、それを用いた簡易間仕切り構造及び簡易間仕切りセットを提供することにある。
【課題を解決するための手段】
【００１１】
上記の目的を達成すべく、この発明では、板状体連結具として、板状体を挟み込む１対のクリップ部を互いに並べて、折り曲げ可能な連結部により一体的に連結するものとした。
【００１２】
具体的には、請求項１の発明の板状体連結具は、各々、基部と該基部の一端に折り返し状態に連続する挟み込み部とからなり、板状体に端部から、該板状体を上記基部と挟み込み部との間に挟み込むように外嵌合可能な１対のクリップ部と、これら両クリップ部の基部と一体で該両クリップ部の基部同士を両クリップ部が間隔をあけて並んだ状態で折り曲げ可能に連結する連結部とを備えた金属製のものであり、上記連結部に連結部での折り曲げ操作を容易にするための脆弱部が形成されており、上記連結部が折り曲げられていない状態と、該連結部が上記脆弱部で各クリップ部の基部が挟み込み部から離れる方向に向かうように折り曲げられた状態とのいずれか一方の状態で使用されることを特徴とする。
【００１３】
上記の構成によると、板状体連結具を用いて２つの板状体を連結する場合、連結具のクリップ部をそれぞれ板状体に該各クリップ部の基部と挟み込み部との間に板状体が挟み込まれるように外嵌合して取り付けることで、両板状体が連結具を介して一体的に連結される。このように連結具のクリップ部をそれぞれ板状体に嵌めるだけで両板状体が連結されるので、簡易間仕切りを簡単に組み立てることができる。
【００１４】
また、連結具のクリップ部を板状体に嵌めるだけの構造であるので、その連結具を簡単に板状体から取り外すことができ、組み立てた簡易間仕切りを組み立て直したり、解体して保管したりすることも容易にできる。
【００１５】
簡易間仕切りを組み立てるとき、板状体連結具は、連結部が折り曲げられていない状態と、連結部がその脆弱部で折り曲げられた状態とのいずれか一方の状態で使用され、連結具が連結部で折り曲げられていない状態では、クリップ部が並んだ状態であるので、両板状体は直線状に並んで連結される。一方、連結具を折り曲げ可能な連結部で各クリップ部の基部が挟み込み部から離れる方向に向かうように折り曲げることによって、両板状体を折れ曲がって（交差して）並んだ状態に連結することができ、その連結部の折り曲げ角度の選択によって、両板状体の連結角度（交差角度）を適宜変えることができる。このことで、１種類の連結具で、両板状体を直線状、Ｌ字状、Ｔ字状、十字状に連結することができ、その他の角度にも連結部で自在に折り曲げて、現場の区画形状が鋭角や鈍角であるときにも容易に適用することができる。
【００１６】
また、連結具のクリップ部は板状体に端部から、該板状体を基部と挟み込み部との間に挟み込むように外嵌合可能であるので、その板状体の上端部（天端部）又は下端部（地端部）を問わず１種類の連結具を組み付けることができる。
【００１７】
さらに、連結部で折り曲げられていない状態の連結具は、その連結部により１対のクリップ部の基部同士を一体に連結した直線形状のものであるので、不使用時の保管に適する。
【００１８】
また、連結具が１種類だけであるので、複数のものを用意する必要がなく、その管理が容易である。しかも、１種類の連結具を用いて板状体を連結すればよいので、簡易間仕切りの組立時に混乱することがない。
【００１９】
しかも、連結部に折り曲げ操作を容易にするための脆弱部が形成されているので、その脆弱部によって連結部を弱いカでも簡単に折り曲げることができ、特に、実際に簡易間仕切りの組立作業が必要とされると予想される老人、女性、子供等の弱者でも取扱い易くなる。
【００２０】
また、連結具が金属製であるので、連結部の折曲げ状態を安定して固定保持でき、簡易間仕切りの組立作業が容易となるとともに、連結具の長期間の保管やリサイクル性に好適となる。
【００２１】
請求項２の発明では、上記クリップ部は弾性を有するものとする。このことで、弾性を有するクリップ部を板状体に嵌めたときに、基部と挟み込み部との間に板状体が押圧されて挟み込まれるようになり、その押圧によって板状体が安易に抜け出さず、板状体同士を安定して連結することができる。
【００２２】
請求項３の発明では、上記脆弱部は連結部に沿って不連続に形成された複数の孔であることを特徴とする。このことで、連結部に脆弱部を容易に形成することができる。
【００２３】
請求項４の発明の簡易間仕切り構造は、隣接する１対の木質繊維板からなる板状体にそれぞれ請求項１〜３のいずれか１つの板状体連結具のクリップ部が外嵌合されて、該両板状体が連結されていることを特徴とするものである。
【００２４】
このことで、請求項１の発明と同様に、板状体連結具のクリップ部をそれぞれ板状体に該各クリップ部の基部と挟み込み部との間に板状体が挟み込まれるように外嵌合して取り付けることで、両板状体が連結具を介して一体的に連結され、簡易間仕切り構造が得られる。
【００２５】
そして、この簡易間仕切り構造では、板状体が木質繊維板からなるので、以下の効果が得られる。木質繊維板からなる板状体は軽量で取扱いがし易く、運搬性も高い。また、長期保管にも適するとともに、リサイクル性も高い。さらに、木質繊維板からなる板状体の吸放湿性及び吸音性が高く、避難所内での快適性が向上する。また、木質繊維板からなる板状体はクッション性や衝撃吸収性があり、子供がぶつかっても問題はない。木質繊維板からなる板状体は断熱性や吸放湿性が高く、クッション性も高いので、敷床にも適している。また、木質繊維板からなる板状体は、長さ方向が高さ方向になるように立てて置いてもへたることがなく、長期間に亘って形状を維持することができ、更衣室や授乳部屋等、特に高さが必要でプライバシーが要求される間仕切りとしても設置利用が可能である。
【００２６】
請求項５の発明の簡易間仕切りセットは、請求項１〜３のいずれか１つの板状体連結具と板状体とが組み合わされたことを特徴とするものである。
【００２７】
この発明では、上記請求項１又は４の発明と同様の作用効果を奏することができる。また、板状体連結具と板状体とが組み合わされているので、それらを備蓄しておけば、取り出してきてそのままの状態で、連結具により板状体を連結して誰でも直ぐに簡易間仕切りを組み立てることができる。
【発明の効果】
【００２８】
以上説明のように、請求項１の発明の板状体連結具によると、板状体を基部と挟み込み部との間に挟み込むように外嵌合可能な１対のクリップ部と、これら両クリップ部の基部同士を両クリップ部が間隔をあけて並んだ状態で折り曲げ可能に連結する連結部とを備え、連結部に折り曲げ操作を容易にするための脆弱部を形成し、連結部が折り曲げられていない状態と、その脆弱部で各クリップ部の基部が挟み込み部から離れる方向に向かうように折り曲げられた状態とのいずれか一方の状態で使用するようにしたことにより、連結具のクリップ部をそれぞれ板状体に嵌めるだけで両板状体を連結して、簡易間仕切りを簡単に組み立てることができる。また、連結具は嵌めるだけ構造であるので、その連結具を簡単に取り外すことができ、組み立てた簡易間仕切りを組み立て直したり解体して保管したりすることが容易にできる。また、連結部を折り曲げることによって両板状体の連結角度を適宜変え、１種類の連結具で両板状体を直線状、Ｌ字状、Ｔ字状、十字状に連結して、現場の区画形状が鋭角や鈍角であるときにも容易に適用することができる。また、板状体の上端部又は下端部を問わず１種類の連結具を組み付けることができる。さらに、連結部で折り曲げられていない状態の連結具は、直線形状のもので、不使用時の保管に適する。また、連結具が１種類だけであるので、その管理が容易であるとともに、簡易間仕切りの組立時に混乱することがない。さらに、連結部の脆弱部によって連結部を弱いカでも簡単に折り曲げることができるとともに、連結部の折曲げ状態を安定して固定して、簡易間仕切りの組立作業の容易化、連結具の保管やリサイクル性の向上を図ることができる。
【００２９】
請求項２の発明によると、クリップ部を弾性を有するものとしたことにより、連結具のクリップ部を板状体に嵌めたときに、基部と挟み込み部との間に板状体が押圧されて挟み込まれて安易に抜け出さず、板状体同士を安定して連結することができる。
【００３０】
請求項３の発明によると、脆弱部を連結部に沿って不連続に形成された複数の孔としたことにより、連結部に脆弱部を容易に形成することができる。
【００３１】
請求項４の発明の簡易間仕切り構造によると、隣接する１対の木質繊維板からなる板状体にそれぞれ板状体連結具のクリップ部が外嵌合されて、該両板状体が連結されていることにより、請求項１の発明と同様の作用効果が得られる。また、木質繊維板からなる板状体は取扱い性、運搬性、長期保管性やリサイクル性を高めることができるとともに、吸放湿性及び吸音性が高くて、避難所内での快適性を向上させることができ、さらには、クッション性や衝撃吸収性が得られ、断熱性や吸放湿性が高く、敷床にも適し、立てて設置しても形状を長期に亘り安定して維持でき、プライバシーが要求される間仕切りとしても設置利用が可能である。
【００３２】
請求項５の発明の簡易間仕切りセットによると、板状体連結具と板状体とが組み合わされたことにより、請求項１又は４の発明と同様の作用効果を奏することができるとともに、板状体連結具と板状体とを備蓄しておけば、取り出してきてそのままの状態で、誰であっても直ぐに簡易間仕切りを組み立てることができる。
【発明を実施するための最良の形態】
【００３３】
以下、本発明の最良の実施形態を図面に基づいて詳細に説明する。以下の好ましい実施形態の説明は、本質的に例示に過ぎず、本発明、その適用物或いはその用途を制限することを意図するものでは全くない。
【００３４】
（板状体連結具）
図１〜図４は本発明の実施形態に係る板状体連結具Ａを示し、この連結具Ａは鉄や非鉄金属等の金属からなる。連結具Ａは薄板状のもので、弾性を持つ左右１対のクリップ部１Ｌ，１Ｒと、それら左右の両クリップ部１Ｌ，１Ｒを一体に連結する連結部７とからなる。
【００３５】
上記各クリップ部１Ｌ，１Ｒは、矩形平板状の基部２と、この基部２の一端（図２〜図４の上端）から前側（図４の左側）に略直角に折り曲げられた矩形平板状の接続部３と、この接続部３の前端（図４の左端）から下方に略直角に基部２と略平行に折り曲げられた挟み込み部４とからなる。すなわち、挟み込み部４は基部２の一端に折り返し状態に連続し、この挟み込み部４と基部２との間には所定の間隔（後述する板状体Ｐの厚さよりも若干大きい間隔）があけられている。そして、挟み込み部４は、その上下長さが基部２の上下長さよりも短く、基部２との上記間隔が上側から下側に向かって次第に小さくなるように基部２に対して少し傾斜している。さらに、挟み込み部４の下端部（先端部）には、下側に向かって前側に向かう方向（基部２との間隔が大きくなる方向）に傾斜するように折り曲げられた傾斜案内部４ａが形成されており、各クリップ部１Ｌ，１Ｒは、板状体Ｐ（パネル）にその端部から、基部２と挟み込み部４との間に板状体Ｐを挟み込むように外嵌合可能となっている。
【００３６】
一方、上記連結部７は、上記左右の両クリップ部１Ｌ，１Ｒの基部２，２と面一に連続するように一体形成されたもので、両クリップ部１Ｌ，１Ｒの基部２，２同士を両クリップ部１Ｌ，１Ｒが左右方向に間隔をあけて並んだ状態で連結しており、この連結部７において両クリップ部１Ｌ，１Ｒが、例えば図５に示すように、上側から見て左側クリップ部１Ｌが時計回り方向に回動し、右側クリップ部１Ｒが反時計回り方向に回動するように、後側に折り曲げ角度θ（０≦θ≦１８０°）で折り曲げ可能となっている。
【００３７】
さらに、上記連結部７には、該連結部７での折り曲げ操作を容易にするための脆弱部８が形成されている。具体的には、この脆弱部８は連結部７に沿って上下方向に一定の間隔をあけて不連続に形成された複数（例えば図示例のように３つ）の縦長矩形状の長孔９，９，…からなる。脆弱部８を構成する孔は上記の如き長孔９，９，…に限定されず、他の形状のものでもよい。
【００３８】
尚、上記各クリップ部１Ｌ，１Ｒにおける基部２下端の外側（左側クリップ部１Ｌでは左側、右側クリップ部１Ｒでは右側）の角部と、挟み込み部４の下端左右角部とにはいずれも面取り状に斜めに切り欠かれて面取り部１１，１１，…が形成されている。
【００３９】
（板状体）
上記板状体Ｐは木質繊維板からなり、木質繊維と結合剤とを主成分として湿式抄造又は乾式で製造されるパネルである。例えばタタミボード、インシュレーションボード、ＭＤＦ、ハードボード等が挙げられる。特に密度０．４０ｇ／ｃｍ３未満のものが、軽量でクッション性があり、断熱性も高いので望ましい。
【００４０】
板状体Ｐのサイズは適宜でよいが、例えば厚さ６ｍｍ、幅９１０ｍｍ、長さ１８２０ｍｍ程度の大きさものが取扱性がよいので好ましい。
【００４１】
尚、この板状体Ｐは、木質繊維板からなるパネルであるので、現場で必要な連結具Ａの数が不足した場合には、一般的なクラフトテープやガムテープ等を利用して張り合わせて、一時補強的に連結することも可能である。
【００４２】
（簡易間仕切りセット）
上記必要な数の板状体連結具Ａを所定枚数の板状体Ｐと組み合わせることで、本発明の実施形態に係る簡易間仕切りセットを構成する。
【００４３】
（簡易間仕切り構造）
また、上記板状体連結具Ａと板状体Ｐとで本発明の実施形態に係る簡易間仕切り構造が得られる。この簡易間仕切り構造においては、図６〜図１０に示すように、隣接する１対の木質繊維板からなる板状体Ｐ，Ｐにそれぞれ板状体連結具Ａの左右クリップ部１Ｌ，１Ｒが外嵌合されて、該両板状体Ｐが連結されている。
【００４４】
すなわち、図６は板状体連結具Ａにより２枚の板状体Ｐ，Ｐが直線状に連結された間仕切り構造を示し、２枚の板状体Ｐ，Ｐが例えば横長の起立状態で長さ方向の端部にて突き合わされて直線状に並べられ、図１に示すように折り曲げられていない（θ＝１８０°である）２つの板状体連結具Ａ，Ａを用いて、その一方の連結具Ａの左右クリップ部１Ｌ，１Ｒがそれぞれ上記突き合わせられた両板状体Ｐ，Ｐの上端部（天端部）に上側から外嵌合されて、連結具Ａが両板状体Ｐ，Ｐに跨るように取り付けられている。また、両板状体Ｐ，Ｐの下端部（地端部）に他方の板状体連結具Ａの左右クリップ部１Ｌ，１Ｒがそれぞれ下側から外嵌合されている。このことで両板状体Ｐ，Ｐが直線状に連結されて間仕切り壁が構成され、この間仕切り壁によって２つの空間が区画形成される。そのとき、各クリップ部１Ｌ，１Ｒの前側の挟み込み部４，４は板状体Ｐの厚さ方向の両面（間仕切り壁の内外面）のいずれに位置してもよい。このように板状体Ｐの上端部（天端部）と下端部（地端部）との上下２箇所に連結具Ａを嵌めると、間仕切りの剛性や強度が大きくなって望ましいが、上端部（天端部）のみでも可能である。
【００４５】
図７は２つの板状体連結具Ａ，Ａにより２枚の同じ板状体Ｐ，Ｐが略９０°の角度でＬ字状に連結された間仕切り構造を示し、両板状体Ｐ，Ｐが横長の起立状態で長さ方向の端部にて突き合わされて直角に並べられ、図５に示すように後側に直角に折り曲げられた（θ＝９０°である）２つの板状体連結具Ａ，Ａを用い、その一方の連結具Ａの左右クリップ部１Ｌ，１Ｒがそれぞれ突き合わせられた両板状体Ｐ，Ｐの上端部（天端部）に上側から外嵌合されている。また、両板状体Ｐ，Ｐの下端部（地端部）に他方の板状体連結具Ａの左右クリップ部１Ｌ，１Ｒがそれぞれ外嵌合されている。このことで両板状体Ｐ，ＰがＬ字状に連結されて間仕切り壁が構成され、この間仕切り壁によって内外２つの空間が区画形成される。そのとき、各クリップ部１Ｌ，１Ｒの前側の挟み込み部４は、Ｌ字状に配置された間仕切り壁（両板状体Ｐ，Ｐ）の外側空間に臨むように配置され、後側の基部２は間仕切り壁の内側空間に臨むように配置される。この場合も上端部（天端部）のみを連結具Ａで連結してもよい。
【００４６】
図８は２つの板状体連結具Ａ，Ａにより３枚の同じ板状体（それらを第１〜第３板状体Ｐ１〜Ｐ３とする）がＴ字状に連結された間仕切り構造を示し、第１及び第２の板状体Ｐ１，Ｐ２が横長の起立状態で長さ方向の端部にて突き合わされて直線状に並べられ、その両板状体Ｐ１，Ｐ２の突き合わせ部分に第３板状体Ｐ３が同様の状態で直角に突き合わせられて並べられ、図５に示すように後側に直角に折り曲げられた２つの板状体連結具Ａ，Ａを用い、その一方の連結具Ａの左右クリップ部１Ｌ，１Ｒがそれぞれ上記突き合わせられた第１及び第３板状体Ｐ１，Ｐ３の上端部（天端部）に外嵌合されている。また、第２及び第３板状体Ｐ２，Ｐ３の下端部（地端部）に他方の板状体連結具Ａの左右クリップ部１Ｌ，１Ｒがそれぞれ外嵌合されている。このことで、３枚の板状体Ｐ１〜Ｐ３がＴ字状に連結されて間仕切り壁が構成され、この間仕切り壁によって第１及び第２板状体Ｐ１，Ｐ２に面する第１空間Ｚ１と、第１及び第３板状体Ｐ１，Ｐ３に面する第２空間Ｚ２と、第２及び第３板状体Ｐ２，Ｐ３に面する第３空間Ｚ３との３つの空間が区画形成される。そのとき、上側の板状体連結具Ａにあっては、一方のクリップ部１Ｌの挟み込み部４（図８には示していない）が第３空間Ｚ３に臨む一方、他方のクリップ部１Ｒの挟み込み部４（図８には示していない）が第１空間Ｚ１に臨むように配置される。また、下側の板状体連結具Ａにあっては、一方のクリップ部１Ｌの挟み込み部４が第２空間Ｚ２に臨む一方、他方のクリップ部１Ｒ（図８には示していない）の挟み込み部４が第１空間Ｚ１に臨むように配置される。
【００４７】
尚、上側の板状体連結具Ａの左右クリップ部１Ｌ，１Ｒをそれぞれ第２及び第３板状体Ｐ２，Ｐ３の上端部（天端部）に外嵌合し、下側の板状体連結具Ａの左右クリップ部１Ｌ，１Ｒをそれぞれ第１及び第３板状体Ｐ１，Ｐ３の下端部（地端部）に外嵌合してもよい。つまり板状体Ｐの上端部と下端部とで両連結具Ａ，Ａの折れの方向を変えるとよい。
【００４８】
また、２枚の板状体Ｐ，ＰがＴ字状に連結された間仕切り構造を形成することもできる。その場合、横長の起立状態にある一方の板状体Ｐの中間部に他方の板状体Ｐの先端部が直角に突き合わされてＴ字状に並べられ、図５に示す直角に折り曲げられた２つの板状体連結具Ａ，Ａを用い、上記３枚の場合と同様に、その一方の連結具Ａの左右クリップ部１Ｌ，１Ｒがそれぞれ上記突き合わせられた一方の板状体Ｐの一側部の上端部（天端部）と他方の板状体Ｐの上端部（天端部）とに外嵌合されている。また、その一方の板状体Ｐの他側部の下端部（地端部）と他方の板状体Ｐの下端部（地端部）とに他方の板状体連結具Ａの左右クリップ部１Ｌ，１Ｒがそれぞれ外嵌合されている。このことで、２枚の板状体Ｐ，ＰがＴ字状に連結されて間仕切り壁が構成される。
【００４９】
図９は４つの板状体連結具（それらを第１〜第４連結具Ａ１〜Ａ４とする）により４枚の同じ板状体（それらを第１〜第４板状体Ｐ１〜Ｐ４とする）が十字状に連結された間仕切り構造を示し、４枚の板状体Ｐ１〜Ｐ４がいずれも横長の起立状態で長さ方向の端部にて突き合わせられて上方から見て十字状に並べられ、図５に示すように後側に直角に折り曲げられた４つの板状体連結具Ｐ１〜Ｐ４を用い、例えば、その第１連結具Ａ１の左右クリップ部１Ｌ，１Ｒが第２及び第１板状体Ｐ２，Ｐ１の上端部（天端部）に、また第２連結具Ａ２の左右クリップ部１Ｌ，１Ｒがを第４及び第３板状体Ｐ４，Ｐ３の上端部（天端部）にそれぞれ外嵌合されている。また、残りの第３及び第４連結具Ａ３，Ａ４は上側の第１及び第２連結具Ａとは異なり、第３連結具Ａ３の左右クリップ部１Ｌ，１Ｒが第２及び第３板状体Ｐ２，Ｐ３の下端部（地端部）に、また第４連結具Ａ４の左右クリップ部１Ｌ，１Ｒが第４及び第１板状体Ｐ４，Ｐ１の下端部（地端部）にそれぞれ外嵌合されている。このことで、４枚の板状体Ｐ１〜Ｐ４が十字状に連結されて間仕切り壁が構成され、この間仕切り壁によって第１及び第２板状体Ｐ１，Ｐ２に面する第１空間Ｚ１と、第２及び第３板状体Ｐ２，Ｐ３に面する第２空間Ｚ３と、第３及び第４板状体Ｐ３，Ｐ４に面する第３空間Ｚ３と、第４及び第１板状体Ｐ４，Ｐ１に面する第４空間Ｚ４との４つの空間が区画形成される。
【００５０】
また、板状体Ｐ，Ｐを直角以外の他の角度に連結するときには、その連結角度に合わせて板状体連結具Ａの後側への折り曲げ角度θを変えればよい。
【００５１】
尚、図１０は大きさの異なる複数種類の板状体Ｐ，Ｐ，…が複数の連結具Ａ，Ａ，…により連結されて床面上に形成された簡易間仕切りを示し、この簡易間仕切りによって出入り口を有する４つの空間が形成され、板状体Ｐ，Ｐ同士の連結構造は上記図６〜図９に示すもののいずれかが用いられている。
【００５２】
したがって、この実施形態においては、板状体連結具Ａを用いて２つの板状体Ｐ，Ｐを連結する場合、連結具Ａのクリップ部１Ｌ，１Ｒをそれぞれ板状体Ｐ，Ｐに該各クリップ部１Ｌ，１Ｒの基部２と挟み込み部４との間に板状体Ｐが挟み込まれるように外嵌合して取り付けることで、両板状体Ｐ，Ｐが連結具Ａを介して一体的に連結されるので、連結具Ａのクリップ部１Ｌ，１Ｒをそれぞれ板状体Ｐ，Ｐに嵌めるだけで両板状体Ｐ，Ｐを連結でき、簡易間仕切りを簡単に組み立てることができる。
【００５３】
また、連結具Ａが連結部７で折り曲げられていない状態では、両板状体Ｐ，Ｐが直線状に並んで連結される一方、連結部７で折り曲げた状態では、両板状体Ｐ，Ｐが折れ曲がって（交差して）並んだ状態に連結され、その連結部７の折り曲げ角度θの選択によって両板状体Ｐ，Ｐの連結角度（交差角度）が適宜変更される。このことで、１種類の連結具Ａで、両板状体Ｐ，Ｐを直線状、Ｌ字状、Ｔ字状、十字状に連結することができ、その他の角度にも連結部７で自在に折り曲げて、現場の区画形状が鋭角や鈍角であるときにも容易に適用することができる。
【００５４】
また、連結具Ａのクリップ部１Ｌ，１Ｒは板状体Ｐに端部から、該板状体Ｐを基部２と挟み込み部４との間に挟み込むように外嵌合可能であるので、その板状体Ｐの上端部（天端部）又は下端部（地端部）を問わず１種類の連結具Ａを組み付けることができる。
【００５５】
また、連結具Ａのクリップ部１Ｌ，１Ｒが弾性を有するので、そのクリップ部１Ｌ，１Ｒに板状体Ｐに嵌めたときに基部２と挟み込み部４との間に板状体Ｐが押圧されて挟み込まれるようになり、その押圧によって板状体Ｐが安易に抜け出さず、板状体Ｐ，Ｐ同士を安定して連結することができる。
【００５６】
さらに、連結具Ａは、連結部７で折り曲げられていない状態では、その連結部７により１対のクリップ部１Ｌ，１Ｒの基部２，２同士を一体に連結した直線形状のものであるので、不使用時に嵩張ることがなく、その保管に適する。
【００５７】
また、連結具Ａが１種類だけであるので、複数のものを用意する必要がなく、その管理が容易である。しかも、１種類の連結具Ａを用いて板状体Ｐ，Ｐを連結すればよいので、簡易間仕切りの組立時に混乱することがない。
【００５８】
しかも、連結具Ａは金属製のもので、その連結部７は両クリップ部１Ｌ，１Ｒの基部２，２と一体のものであり、その連結部７に連結部７での折り曲げ操作を容易にするための脆弱部８が形成されているので、その脆弱部８によって連結部７を弱いカでも簡単に折り曲げることができ、特に、実際に簡易間仕切りの組立作業が必要とされると予想される老人、女性、子供等の弱者でも取扱いが容易となる。また、上記脆弱部８が連結部７に沿って不連続に形成された複数の長孔９，９，…であるので、連結部７に脆弱部８を容易に形成できる。
【００５９】
また、連結具Ａの材質が金属であるので、連結部７の折曲げ状態を安定して固定でき、簡易間仕切りの組立作業が容易となるとともに、連結具Ａの長期間の保管やリサイクル性に好適となる。
【００６０】
（その他の実施形態）
尚、上記実施形態では、連結部７の脆弱部８を不連続に形成された複数の孔９，９，…としているが、その他、例えば他の部分よりも薄肉とされた薄肉部で構成してもよい。
【００６１】
また、上記実施形態では、連結具Ａにおける連結部７を、左右１対の両クリップ部１Ｌ，１Ｒの基部２，２と一体に連続したものとしているが、これに代え、連結部７を蝶番としてもよい。こうすると、連結部７を弱いカでも簡単に折り曲げることができ、特に、実際に簡易間仕切りの組立作業が必要とされると予想される老人、女性、子供等の弱者でも取扱いがし易くなる。
【００６２】
また、上記実施形態では、連結具Ａを金属製のものとしているが、その他の材質として樹脂、ゴム、紙等が挙げられる。しかし、長期保管に適し、リサイクル性も高いという理由から、特に適しているのは上記実施形態の如き鉄、非鉄金属等の金属が好ましい。
【実施例】
【００６３】
次に、具体的に実施した例について説明する。連結具は厚さ０．８ｍｍの亜鉛鋼板製のものとした。その前後厚さは８．６ｍｍ、上下長さは５０ｍｍ、左右幅は８６ｍｍであり、左右中央の連結部に縦長の長孔を３箇所に開けた。
【００６４】
板状体は密度０．３０ｇ／ｃｍ３の木質繊維板からなり、厚さ６ｍｍ、幅９１０ｍｍ、長さ１８２０ｍｍであった。連結具は連結部で簡単に折り曲げ可能であったので、１種類の連結具で板状体を直線状、Ｌ字状、Ｔ字状、十字状に連結することができた。また、簡単に連結具を取り外して木質繊維板を敷床としても転用することができた。
【産業上の利用可能性】
【００６５】
本発明は、１種類の連結具で両板状体を連結して簡易間仕切りを簡単に組み立てることができるので、極めて有用で産業上の利用可能性が高い。
【図面の簡単な説明】
【００６６】
【図１】図１は、本発明の実施形態に係る板状体連結具の斜視図である。
【図２】図２は、板状体連結具の正面図である。
【図３】図３は、板状体連結具の背面図である。
【図４】図４は、板状体連結具の側面図である。
【図５】図５は、板状体連結具を直角に折り曲げた状態を示す斜視図である。
【図６】図６は、板状体連結具により２枚の板状体が直線状に連結された間仕切り構造を示す正面図である。
【図７】図７は、板状体連結具により２枚の板状体がＬ字状に連結された間仕切り構造を示す斜視図である。
【図８】図８は、板状体連結具により３枚の板状体がＴ字状に連結された間仕切り構造を示す斜視図である。
【図９】図９は、板状体連結具により４枚の板状体が十字状に連結された間仕切り構造を示す斜視図である。
【図１０】図１０は、板状体が連結具により連結されて床面上に作られた簡易間仕切りを示す斜視図である。
【符号の説明】
【００６７】
Ａ，Ａ１〜Ａ４  板状体連結具
Ｐ，Ｐ１〜Ｐ４  板状体
１Ｌ，１Ｒ  クリップ部
２  基部
４  挟み込み部
７  連結部
８  脆弱部
９  長孔
【図１】
0005101197.tif 000002
【図２】
0005101197.tif 000003
【図３】
0005101197.tif 000004
【図４】
0005101197.tif 000005
【図５】
0005101197.tif 000006
【図６】
0005101197.tif 000007
【図７】
0005101197.tif 000008
【図８】
0005101197.tif 000009
【図９】
0005101197.tif 000010
【図１０】
0005101197.tif 000011